(57)【特許請求の範囲】
【請求項１】
試料水を通水させるための第１及び第２の通水管（３，４）のそれぞれの一方端側が差し込まれた試料水収容器（２）と、前記第１及び第２の通水管（３，４）のそれぞれの他端部側に接続された第１及び第２の水封部（５）と、を備えてなる採水器であって、
前記第１及び第２の水封部（５）のそれぞれは、当該水封部に流入する試料水の所定量を収容可能な水封部本体（７）と、前記通水管の前記他端部が前記水封部本体（７）内の前記試料水に浸漬するように、前記第１又は第２の通水管が貫通して接続され、かつ、一方端が前記水封部本体内に開口し、他方端が当該水封部外に開口するノズル（９）が設けられた、水封部本体（７）を封止する封止手段（６，８）と、前記水封部又は前記ノズルの他方端側に設けられ、採水後の前記試料水収容器を封画するための封画手段と、を備え、前記第１の水封部（５）の前記ノズルから試料水を流入させ、前記第１の水封部（５）の水封部本体（７）及び前記第１の通水管（３）を介して、前記試料水収容器（２）に当該試料水を流入させ、前記第２の通水管（４）及び前記第２の水封部（５）の水封部本体（７）を介して、前記第２の水封部（５）のノズルから前記採水器外に当該試料水を流出させることが可能な採水器。
【請求項２】
請求項１において、前記水封部本体は、大口径管（７）であって、前記封止手段は、一端から前記通水管（３，４）が差し込まれ、他端に前記大口径管（７）の一端が装着された貫通型異径ジョイント（６）と、前記大口径管の他端が一端に装着され、他端に前記ノズル（９）が貫設された異径ジョイント（８）とを有することを特徴とする採水器。
【発明の詳細な説明】
【技術分野】
【０００１】
本発明は、試料水を試料水収容器内に採取する採水器に係り、特に超純水を採取するのに好適な採水器に関する。
【背景技術】
【０００２】
超純水試料の採取は試料を通水しているラインを試料容器に入れて、十分オーバーフローさせた後に通水ラインを抜いて蓋を閉めるという方法で行われる。（ＪＩＳ  Ｋ  ０５５３など）
その際、試料採取環境からの汚染を防止するためにサンプリングブース内で試料採取を行うことがある（特開平８−１４５９８３号（特許３２８４４７９７号））。同号では、直方体形箱状の採取ブース内に採取室を区画形成し、エアフィルタ、気液接触装置及びデミスタを通した清浄な空気を該採取室内に循環供給すると共に、該採取室内に配置した採取容器に対し、ブースを貫通した採取用チューブから試料水を導入する。
【先行技術文献】
【特許文献】
【０００３】
【特許文献１】特開平８−１４５９８３
【発明の概要】
【発明が解決しようとする課題】
【０００４】
超純水製造技術の進歩に伴い、より低濃度での分析が必要とされ、０．１ｎｇ／Ｌレベル以下の分析が可能となっている。このレベルの分析を行うためには各工程での汚染防止対策が重要であり、特に様々な環境の現場で行う試料採取工程では十分な汚染対策が必要である。従来の試料採取法でも０．１ｎｇ／Ｌレベルの汚染防止は可能であるが、採取技術の習熟と、採取環境によって対応するノウハウが必要であり、誰もが簡単に行えるものではない。
【０００５】
採取する試料を試料容器にオーバーフローさせる方式では、蓋の開閉による汚染が生じるため、蓋を閉じた状態で試料の採取ができるように採取容器から延出した通水管を通して採水する場合がある。この場合でも、採取した試料は、採取容器から延出した通水管を通して分析装置、分析用器具に供されるが、試料容器の移送時に通水管の先端が汚れると、試料水が汚染される。
【０００６】
本発明は、試料水の採取が容易であり、また試料水の汚染が防止される採水器を提供することを目的とする。
【課題を解決するための手段】
【０００７】
本発明の採水器は、試料水を通水させるための第１及び第２の通水管（３，４）のそれぞれの一方端側が差し込まれた試料水収容器（２）と、前記第１及び第２の通水管（３，４）のそれぞれの他端部側に接続された第１及び第２の水封部（５）と、を備えてなる採水器であって、前記第１及び第２の水封部（５）のそれぞれは、当該水封部に流入する試料水の所定量を収容可能な水封部本体（７）と、前記通水管の前記他端部が前記水封部本体（７）内の前記試料水に浸漬するように、前記第１又は第２の通水管が貫通して接続され、かつ、一方端が前記水封部本体内に開口し、他方端が当該水封部外に開口するノズル（９）が設けられた、水封部本体（７）を封止する封止手段（６，８）と、前記水封部又は前記ノズルの他方端側に設けられ、採水後の前記試料水収容器を封画するための封画手段と、を備え、前記第１の水封部（５）の前記ノズルから試料水を流入させ、前記第１の水封部（５）の水封部本体（７）及び前記第１の通水管（３）を介して、前記試料水収容器（２）に当該試料水を流入させ、前記第２の通水管（４）及び前記第２の水封部（５）の水封部本体（７）を介して、前記第２の水封部（５）のノズルから前記採水器外に当該試料水を流出させることが可能なものである。
【発明の効果】
【０００９】
本発明の採水器にあっては、一方の通水管の先端部の水封部及び該通水管を介して試料水を試料水収容器内に流入させて容易に採取することができる。この採水器の各通水管先端部にそれぞれ水封部が設けられているので、各通水管の先端部が外部（例えば大気や各種物体）に直に接触することがなく、通水管の先端部が汚染されることがない。試料水収容器を密閉式としておくことにより、試料水収容器内の試料水が汚染されることも防止される。
【００１０】
本発明の一態様の採水器にあっては、試料水の採取後に大口径管を折曲げたり、異径ジョイントに設けておいたバルブを閉めたり、異径ジョイントの先に取り付けたチューブを折り曲げたりすることにより、試料水収容器内を封画することが可能である。大口径管内に水が入っており、大口径管を折り曲げるよりも異径ジョイントの先に取り付けたチューブを折り曲げる方が容易であり、好ましい。
【図面の簡単な説明】
【００１１】
【図１】実施の形態に係る採水器の正面図である。
【図２】試料水収容器の正面図である。
【図３】別の試料水収容器の平面図である。
【図４】さらに別の試料水収容器の平面図と断面図である。
【発明を実施するための形態】
【００１２】
以下、図面に示す実施の形態を参照して本発明についてさらに詳細に説明する。
【００１３】
第１図は実施の形態に係る採水器の正面図、第２図はその試料水収容器の正面図である。なお、第１図（ａ）は試料水の採取前、同（ｂ）は試料水の採取工程を表している。第１，２図において、試料水収容器はその断面が表されている。
【００１４】
この採水器１は、試料水収容器２と、該試料水収容器２に差し込まれるようにして設けられた２本の通水管３，４と、各通水管３，４の先端部に設けられた水封部５，５とを有する。試料水収容器２は、上部に開口が設けられた容器２ａと、該容器２ａに装着された蓋２ｂとを有する。この蓋２ｂを前記通水管３，４が貫いている。通水管３の下端は容器２ａの底面近傍に位置している。通水管４の下端は容器２ａ内の上部に位置している。
【００１５】
水封部５は、通水管３又は４が貫通した貫通型異径ジョイント６と、一端が該貫通型異径ジョイント６に装着された大口径管７と、該大口径管７の他端が装着された異径ジョイント８とを有する。
【００１６】
異径ジョイント８にノズル９が貫設されている。異径ジョイント８に開閉バルブを設けておいてもよい。
【００１７】
これらの収容器２、通水管３，４及び水封部５はいずれもポリテトラフルオロエチレン等のフッ素樹脂製とされることが好ましい。未使用状態では収容器２内はクリーンエアが入っていることが好ましい。
【００１８】
この採水器１を用いて試料水の採取を行うには、第１図（ｂ）のように各水封部５，５のノズル９にチューブ１０を接続し、通水管３側のチューブ１０を介して試料水（この場合は超純水）を収容器２内に流入させる。収容器２内を試料水で満たした後も、所定時間試料水の流入を継続させ、通水管４及びその先端部の水封部５とチューブ１０を介して試料水を流出させるのが好ましい。
【００１９】
なお、試料水の採取を開始するときに、通水管３側の水封部５の貫通型異径ジョイント６をゆるめて試料水を少量貫通型異径ジョイント６から外部に流出させ、水封部５の洗浄を行ってもよい。この貫通型異径ジョイント６をゆるめたままとし、試料水の採取を行っているときに継続して試料水を少しずつ通水管３側の貫通型異径ジョイント６から外部に流出（リーク）させ、試料水採取終了時に該貫通型異径ジョイント６を閉め込むようにしてもよい。
【００２０】
上記のようにして収容器２内を試料水で満たした後、チューブ１０を試料水採取部（図示せず）から切り離し、チューブ１０を折り曲げて収容器２内を外部と隔絶し、分析センター等へ搬送する。チューブ１０を折り曲げる代りに、異径ジョイント８にバルブを設けておき、このバルブを閉めるようにしてもよい。
【００２１】
試料採取時に貫通型異径ジョイント６から大口径管７を外して試料水と同じもしくは同レベルの水で洗浄し、試料採取終了時に試料水で大口径管７内を満たしてから貫通型異径ジョイント６に接続して通水管３，４を水封するようにしてもよい。
【００２２】
この採水器１によると、試料水の採取時に収容器２の蓋２ｂを開閉しないので、汚染物質が収容器２内に入ることがない。この通水管３，４の先端部に水封部５を設けているので、通水管３，４の先端から汚染物質が試料水に混入することが防止される。また、通水管３，４の外面や先端部の汚染が防止されるので、試料水を採取した採水器１を分析装置、分析用器具に供給する際の試料水の汚染が防止される。
【００２３】
第１，２図では収容器２の上部から２本の通水管３，４を差し込んでいるが、第３図のように袋型の収容器１２の場合であれば、対角線位置に通水管３，４を設けてもよい。
【００２４】
また、第４図の袋型の収容器１３のように、上辺部の一端側と他端側に通水管３，４を設けた場合、収容器１３内のコーナー部等に試料水の滞留部が生じないように収容器１３内にシール部１３ａによってＶ字状の試料水収容部１３ｂを区画形成してもよい。シール部以外の手段を用いて区画を行ってもよい。なお、第４図の（ａ）図は収容器１３の空の状態における正面図、（ｂ）図及び（ｃ）図はそれぞれ収容器１３内に試料水を採取した状態における（ａ）図のＢ−Ｂ線、Ｃ−Ｃ線断面図である。
【実施例】
【００２５】
実施例１
第１図に示す構成のフッ素樹脂製の採水器を用いて、Ｎａ＜０．１ｐｐｔ，Ｃａ＜０．１ｐｐｔの超純水を５００ｍＬ採取した。なお、試料水の採取後、チューブ１０を折り曲げ、分析センターに搬入してＮａ濃度及びＣａ濃度を測定したところ、Ｎａ＜０．１ｐｐｔ、Ｃａ＜０．１ｐｐｔであった。
【００２６】
比較例１
第１図の採水器から水封部５，５を取り外し、収容器２及び通水管３，４のみを有した採水器を用いて同様に超純水の採取を行い、採取後に通水管３，４の先端にキャップを装着して分析センターに搬入し、同様の分析を行ったところ、Ｎａ８ｐｐｔ、Ｃａ５ｐｐｔであった。
【００２７】
この結果より、本発明によると汚染物質の影響が防止されることが認められた。
【符号の説明】
【００２８】
１  採水器
２，１２，１３  試料水収容器
３，４  通水管
５  水封部
６  貫通型異径ジョイント
７  大口径管
８  異径ジョイント
【図１】
0005464009.tif 000002
【図２】
0005464009.tif 000003
【図３】
0005464009.tif 000004
【図４】
0005464009.tif 000005